(57)【要約】【課題】嵌合操作レバーの仮係止状態が解除されたか否かを簡単に判別することができ、仮係止状態が解除されていない嵌合操作レバーが無理に回動操作されることを防止することができるレバー式コネクタを提供すること。【解決手段】第１のコネクタハウジング１０の一外側壁の内側に画成されたレバー収容空間１５に回動可能に装備された嵌合操作レバー３０を回動初期位置に仮係止するレバー仮係止手段４０と、第１のコネクタハウジング１０と第２のコネクタハウジング２０とを嵌合開始位置に突き合わせたときに嵌合操作レバー３０の仮係止状態を解除する仮係止解除手段５０と、を備えるレバー式コネクタ１において、嵌合操作レバー３０に、仮係止状態が解除されたときに第１のコネクタハウジング１０の外部に露呈する目印３８ａを設ける。【選択図】図１１
2015060661.tif 000002
【特許請求の範囲】
【請求項１】
一外側壁の内側にコネクタハウジング相互の嵌合方向に貫通したレバー収容空間が画成された第１のコネクタハウジングと、
前記第１のコネクタハウジングの内側に嵌合する嵌合部と、前記一外側壁と対向する前記嵌合部の外側面に突設された嵌合用突起と、を備えた第２のコネクタハウジングと、
回動初期位置から回動終了位置まで回動可能に前記レバー収容空間に装備される嵌合操作レバーと、
前記第１のコネクタハウジングのレバー収容空間内に装備されて前記嵌合操作レバーを前記回動初期位置に仮係止するレバー仮係止手段と、
前記第２のコネクタハウジングに装備されて前記第１のコネクタハウジングと前記第２のコネクタハウジングとを嵌合開始位置に突き合わせたときに前記レバー仮係止手段による仮係止状態を解除する仮係止解除手段と、を備え、
前記嵌合操作レバーは、前記回動初期位置に位置している状態で前記第１のコネクタハウジングと前記第２のコネクタハウジングとを嵌合開始位置に突き合わせると前記嵌合用突起が溝の始端に進入し、前記回動初期位置から前記回動終了位置側に回転操作すると、前記嵌合用突起を嵌合方向に引き込んで、前記回動終了位置に到達したときに前記第１のコネクタハウジングと前記第２のコネクタハウジングとを嵌合完了状態にするカム溝を備えるレバー式コネクタであって、
前記嵌合操作レバーは、前記レバー仮係止手段によって仮係止状態にあるときには前記一外側壁の一側縁の内側に隠れ、前記仮係止解除手段によって仮係止状態が解除されたときには、仮係止状態の解除時の当該嵌合操作レバーの微小回動によって前記一外側壁の一側縁の外側に露呈する目印を備えたことを特徴とするレバー式コネクタ。
【請求項２】
前記目印は、前記嵌合操作レバーの表面に形成された凹部の縁を形成する直線状の一辺であることを特徴とする請求項１に記載のレバー式コネクタ。
【発明の詳細な説明】
【技術分野】
【０００１】
本発明は、レバー式コネクタに関する。
【背景技術】
【０００２】
図１２及び図１３は、下記特許文献１に開示されたレバー式コネクタを示している。このレバー式コネクタ１００は、第１のコネクタハウジング１１０と、第２のコネクタハウジング１２０と、嵌合操作レバー１３０と、レバー仮係止手段１４０と、仮係止解除手段１５０と、を備えている。
【０００３】
第１のコネクタハウジング１１０は、不図示の一外側壁の内側に、コネクタハウジング相互の嵌合方向（図１２では、矢印Ｘ１方向）に貫通したレバー収容空間１１１が画成されている。
【０００４】
第２のコネクタハウジング１２０は、第１のコネクタハウジング１１０の内側に嵌合する嵌合部１２１と、第１のコネクタハウジング１１０の不図示の一外側壁と対向する前記嵌合部１２１の外側面１２２に突設された嵌合用突起１２３と、を備えている。
【０００５】
嵌合操作レバー１３０は、枢軸１１３を支点として回動可能にレバー収容空間１１１内に支持されるレバー本体１３１と、該レバー本体１３１の一端に延設された操作部１３２と、を備えている。
【０００６】
この嵌合操作レバー１３０は、図１２に示すように、枢軸１１３を回動中心として、回動初期位置Ｐ１から回動終了位置Ｐ２までの角度θの範囲を回動可能に、装備されている。操作部１３２は、当該嵌合操作レバー１３０を回動操作する際に把持する部分で、レバー収容空間１１１から外部に延出した状態に装備されている。図１２に示した矢印Ｒ１は、嵌合操作レバー１３０を回動初期位置Ｐ１から回動終了位置Ｐ２へ回動させるときの回動方向である。
【０００７】
この嵌合操作レバー１３０のレバー本体１３１には、嵌合用突起１２３の嵌合用突起１２３が摺動可能なカム溝１３４と、当該嵌合操作レバー１３０を回動初期位置Ｐ１に仮係止させるための弾性係止片１３５と、を備えている。
【０００８】
カム溝１３４は、当該嵌合操作レバー１３０が回動初期位置Ｐ１に位置している状態で、図１３に示すように、第１のコネクタハウジング１１０と第２のコネクタハウジング１２０とを嵌合開始位置に突き合わせると、第２のコネクタハウジング１２０上の嵌合用突起１２３が溝の始端１３４ａに進入するように、形成されている。また、カム溝１３４は、当該嵌合操作レバー１３０を回動初期位置Ｐ１から回動終了位置Ｐ２側に回転操作すると、溝の始端１３４ａに係合している嵌合用突起１２３を嵌合方向に引き込んで、嵌合操作レバー１３０が回動終了位置Ｐ２に到達したときに、第１のコネクタハウジング１１０と第２のコネクタハウジング１２０とを嵌合完了状態にする。
【０００９】
弾性係止片１３５は、レバー本体１３１の外周に沿って延設された弾性片１３５ａの先端に、係合用の突起部１３５ｂを備えた構造である。突起部１３５ｂは、弾性片１３５ａの撓み変形によって、レバー本体１３１の中心側に変位可能である。この弾性係止片１３５は、先端の突起部１３５ｂを第１のコネクタハウジング１１０のレバー収容空間１１１に装備されているレバー仮係止手段１４０に係合させることで、断線当該嵌合操作レバー１３０を回動初期位置Ｐ１に位置決めする。
【００１０】
レバー仮係止手段１４０は、図１２に示すように、レバー収容空間１１１内に装備された段差部で、前述の嵌合操作レバー１３０の弾性係止片１３５と係合することで、嵌合操作レバー１３０を回動初期位置Ｐ１に仮係止する。
【００１１】
仮係止解除手段１５０は、レバー収容空間１１１内のレバー仮係止手段１４０と対向するように、第２のコネクタハウジング１２０の外側面１２２に立設されたリブである。この仮係止解除手段１５０は、図１３に示すように、第１のコネクタハウジング１１０と第２のコネクタハウジング１２０とを嵌合開始位置に突き合わせたときに、レバー仮係止手段１４０に向かって進んで、弾性係止片１３５をレバー仮係止手段１４０から外れるように撓み変形させて、レバー仮係止手段１４０による仮係止状態を解除する。
【先行技術文献】
【特許文献】
【００１２】
【特許文献１】特開２００３−２４９３０４号公報
【発明の概要】
【発明が解決しようとする課題】
【００１３】
ところが、特許文献１のレバー式コネクタ１００の場合、嵌合操作レバー１３０を回動初期位置Ｐ１に仮係止する機構は、レバー収容空間１１１内に収容されていて、外部からは視認することができない。
【００１４】
また、図１３に示すように第１のコネクタハウジング１１０と第２のコネクタハウジング１２０とを嵌合開始位置に突き合わせた際に、第２のコネクタハウジング１２０に装備されている仮係止解除手段１５０が、レバー仮係止手段１４０による仮係止状態を解除したときにも、外観上には、顕著な変化が発生しない。
【００１５】
そのため、第１のコネクタハウジング１１０と第２のコネクタハウジング１２０とを嵌合開始位置に突き合わせた際に、例えば、突き合わせが不足して仮係止解除手段１５０が仮係止状態を解除できていない場合でも、そのことは、外観から判別することができない。その結果、仮係止状態が解除されていない嵌合操作レバー１３０に、無理に回動操作力をかけて、弾性係止片１３５やレバー仮係止手段１４０の破損を招くおそれがあった。
【００１６】
そこで、本発明の目的は、上記課題を解消することに係り、嵌合操作レバーの仮係止状態が解除されたか否かを簡単に判別することができ、仮係止状態が解除されていない嵌合操作レバーが無理に回動操作されることを防止することができるレバー式コネクタを提供することにある。
【課題を解決するための手段】
【００１７】
本発明の前述した目的は、下記の構成により達成される。
（１）  一外側壁の内側にコネクタハウジング相互の嵌合方向に貫通したレバー収容空間が画成された第１のコネクタハウジングと、
前記第１のコネクタハウジングの内側に嵌合する嵌合部と、前記一外側壁と対向する前記嵌合部の外側面に突設された嵌合用突起と、を備えた第２のコネクタハウジングと、
回動初期位置から回動終了位置まで回動可能に前記レバー収容空間に装備される嵌合操作レバーと、
前記第１のコネクタハウジングのレバー収容空間内に装備されて前記嵌合操作レバーを前記回動初期位置に仮係止するレバー仮係止手段と、
前記第２のコネクタハウジングに装備されて前記第１のコネクタハウジングと前記第２のコネクタハウジングとを嵌合開始位置に突き合わせたときに前記レバー仮係止手段による仮係止状態を解除する仮係止解除手段と、を備え、
前記嵌合操作レバーは、前記回動初期位置に位置している状態で前記第１のコネクタハウジングと前記第２のコネクタハウジングとを嵌合開始位置に突き合わせると前記嵌合用突起が溝の始端に進入し、前記回動初期位置から前記回動終了位置側に回転操作すると、前記嵌合用突起を嵌合方向に引き込んで、前記回動終了位置に到達したときに前記第１のコネクタハウジングと前記第２のコネクタハウジングとを嵌合完了状態にするカム溝を備えるレバー式コネクタであって、
前記嵌合操作レバーは、前記レバー仮係止手段によって仮係止状態にあるときには前記一外側壁の一側縁の内側に隠れ、前記仮係止解除手段によって仮係止状態が解除されたときには、仮係止状態の解除時の当該嵌合操作レバーの微小回動によって前記一外側壁の一側縁の外側に露呈する目印を備えたことを特徴とするレバー式コネクタ。
【００１８】
（２）  前記目印は、前記嵌合操作レバーの表面に形成された凹部の縁を形成する直線状の一辺であることを特徴とする上記（１）に記載のレバー式コネクタ。
【００１９】
上記（１）の構成によれば、嵌合操作レバーが第１のコネクタハウジングのレバー仮係止手段によって回動初期位置に仮係止されているときには、嵌合操作レバー上に備えられた目印は、第１のコネクタハウジングの一外側壁の内側に隠れていて、外部から目視することができない。しかし、第１のコネクタハウジングと第２のコネクタハウジングとを嵌合開始位置に突き合わせて、第２のコネクタハウジングの仮係止解除手段によって、嵌合操作レバーの仮係止状態が解除されたときには、仮係止状態の解除時の嵌合操作レバーの微小回動によって、嵌合操作レバー上の目印が、第１のコネクタハウジングの一外側壁の一側縁の外側に露呈する。そのため、目印が第１のコネクタハウジングの外部に露呈しているか否かを視認することで、嵌合操作レバーの仮係止状態が解除されたか否かを簡単に判別することができる。
【００２０】
従って、仮係止状態が解除されていない嵌合操作レバーを無理に回動させる誤操作を回避することができ、前記誤操作による嵌合操作レバーやレバー仮係止手段の破損を防止することができる。
【００２１】
上記（２）の構成によれば、嵌合操作レバーの目印は、嵌合操作レバーの表面に形成された凹部の縁を形成する直線状の一辺である。そのため、例えば、当該嵌合操作レバーを樹脂の射出成形で形成する際に、凹部の形成によって簡単に目印を付与することができ、目印の装備を容易にすることができる。
【発明の効果】
【００２２】
本発明によるレバー式コネクタによれば、嵌合操作レバーの仮係止状態が解除されたか否かを簡単に判別することができ、仮係止状態が解除されていない嵌合操作レバーが無理に回動操作されることを防止することができる。
【００２３】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２４】
【図１】図１は本発明に係るレバー式コネクタの一実施形態の分解斜視図である。
【図２】図２は図１に示した第１のコネクタハウジングの平面図である。
【図３】図３は図１に示した第１のコネクタハウジングのＡ−Ａ線に沿う断面図である。
【図４】図４は図１に示した第１のコネクタハウジングの単体の斜視図である。
【図５】図５は図４に示した第１のコネクタハウジングの側面図である。
【図６】図６は図４に示した第１のコネクタハウジングの平面図である。
【図７】図７は図４に示した第１のコネクタハウジングのＢ矢視図である。
【図８】図８は図１に示した嵌合操作レバーの単品の斜視図である。
【図９】図９は図８のＣ矢視図である。
【図１０】図１０は図１に示した第１のコネクタハウジングと第２のコネクタハウジングとが嵌合開始位置に突き合された状態の平面図である。
【図１１】図１１は第１のコネクタハウジングと第２のコネクタハウジングとの嵌合開始位置への突き合わせによって、第２のコネクタハウジングの仮係止解除手段が嵌合操作レバーの仮係止状態を解除している状態の説明図である。
【図１２】図１２は従来のレバー式コネクタの第１のコネクタハウジングと第２のコネクタハウジングとが対向している状態の平面図である。
【図１３】図１３は図１２に示した第１のコネクタハウジングと第２のコネクタハウジングとが嵌合開始位置に突き合されて、嵌合操作レバーの仮係止状態が解除された状態を示す断面図である。
【発明を実施するための形態】
【００２５】
以下、本発明に係るレバー式コネクタの好適な実施形態について、図面を参照して詳細に説明する。
【００２６】
図１〜図１１は本発明に係るレバー式コネクタの一実施形態を示したもので、図１は本発明の一実施形態のレバー式コネクタの分解斜視図、図２は図１に示した第１のコネクタハウジングの平面図、図３は図１に示した第１のコネクタハウジングのＡ−Ａ線に沿う断面図，図４は図１に示した第１のコネクタハウジングの単体の斜視図，図５は図４に示した第１のコネクタハウジングの側面図，図６は図４に示した第１のコネクタハウジングの平面図，図７は図４に示した第１のコネクタハウジングのＢ矢視図，図８は図１に示した嵌合操作レバーの単品の斜視図，図９は図８のＣ矢視図，図１０は図１に示した第１のコネクタハウジングと第２のコネクタハウジングとが嵌合開始位置に突き合された状態の平面図、図１１は第１のコネクタハウジングと第２のコネクタハウジングとの嵌合開始位置への突き合わせによって、第２のコネクタハウジングの仮係止解除手段が嵌合操作レバーの仮係止状態を解除している状態の説明図である。
【００２７】
この一実施形態のレバー式コネクタ１は、図１〜図３に示すように、第１のコネクタハウジング１０と、第２のコネクタハウジング２０と、嵌合操作レバー３０と、レバー仮係止手段４０と、仮係止解除手段５０と、を備えている。
【００２８】
第１のコネクタハウジング１０は、図４〜図７に示すように、複数の端子収容孔１１を有した略角柱状の端子収容部１２と、この端子収容部１２の外周を囲う筒状に形成された外筒部１３と、を備えている。外筒部１３は、端子収容部１２の周囲に、第２のコネクタハウジング２０の角筒状の嵌合部（フード部）２１が嵌合する隙間１４を画成している。
【００２９】
また、外筒部１３の上部壁１３ａは、第１のコネクタハウジング１０の上部側の外側壁である。この第１のコネクタハウジング１０の一外側壁である上部壁１３ａは、外筒部１３の内側に位置する端子収容部１２の上部壁１２ａとの間に、レバー収容空間１５を画成している。レバー収容空間１５は、嵌合操作レバー３０を収容する空間で、コネクタハウジング相互の嵌合方向（図１１では、矢印Ｘ２方向）に貫通して形成されている。
【００３０】
即ち、本実施形態の第１のコネクタハウジング１０は、その一外側壁である上部壁１３ａの内側に、コネクタハウジング相互の嵌合方向に貫通したレバー収容空間１５が画成されている。
【００３１】
また、本実施形態の上部壁１３ａは、嵌合操作レバー３０を回動自在に支持するレバー支持孔１６が形成されている。また、上部壁１３ａは、後述する嵌合操作レバー３０の操作部３３が上部壁１３ａの後方に露出するように、端子収容部１２の上部壁１２ａよりも嵌合方向に短く形成されている。
【００３２】
第１のコネクタハウジング１０のレバー収容空間１５には、前述のレバー仮係止手段４０が装備されている。本実施形態のレバー仮係止手段４０は、図３に示すように、ハウジングの幅方向（図３では、矢印Ｙ１方向）に延在する当接面で、後述する嵌合操作レバー３０の弾性係止片３６と係合することで、嵌合操作レバー３０を回動初期位置Ｐ１に仮係止する。
【００３３】
第２のコネクタハウジング２０は、図１に示すように、第１のコネクタハウジング１０の外筒部１３の内側に嵌合する角筒状の嵌合部２１と、この嵌合部２１の後端に位置する端子支持部２２と、嵌合部２１の上壁面２１ａに突設された嵌合用突起２３と、ガイド壁２４と、前述の仮係止解除手段５０と、を備えている。
【００３４】
端子支持部２２は、端子収容部１２に収容されている端子金具と嵌合する複数の端子金具２６を支持している。
【００３５】
嵌合部２１の上壁面２１ａは、第１のコネクタハウジング１０の上部壁１３ａと対向する外側面である。この上壁面２１ａに突設された嵌合用突起２３は、後述する嵌合操作レバー３０のカム溝３５を摺動可能に係合する円柱状のピンである。
【００３６】
ガイド壁２４は、上壁面２１ａ上に突設されている。このガイド壁２４は、コネクタハウジング相互の嵌合方向に沿って延在している。このガイド壁２４は、第１のコネクタハウジング１０と第２のコネクタハウジング２０とを嵌合させる際に、第１のコネクタハウジング１０に形成されたガイド溝１７に嵌合して、第２のコネクタハウジング２０が嵌合方向に対して傾くことを防止する。
【００３７】
第２のコネクタハウジング２０に装備される仮係止解除手段５０は、図１１に示すように、レバー収容空間１５内のレバー仮係止手段４０と対向するように、第２のコネクタハウジング２０の上壁面２１ａに立設されたリブである。この仮係止解除手段５０は、図１１に示すように、第１のコネクタハウジング１０と第２のコネクタハウジング２０とを嵌合開始位置に突き合わせたときに、レバー仮係止手段４０に向かって進んで、弾性係止片３６をレバー仮係止手段４０から外れるように撓み変形させて、レバー仮係止手段４０による仮係止状態を解除する。
【００３８】
嵌合操作レバー３０は、図８及び図９に示すように、上部壁１３ａのレバー支持孔１６に回転自在に嵌合する枢軸３１を有したレバー本体３２と、該レバー本体３２の一端に延設された操作部３３と、を備えている。
【００３９】
レバー本体３２は、レバー収容空間１５に収容される厚板状で、中央部に枢軸３１が突設されている。このレバー本体３２は、レバー支持孔１６に嵌合した枢軸３１を支点として回動可能にレバー収容空間１５内に支持される。
【００４０】
この嵌合操作レバー３０は、図３に示すように、枢軸３１を回動中心として、回動初期位置Ｐ１から回動終了位置Ｐ２までの角度θの範囲を回動可能に装備されている。嵌合操作レバー３０の操作部３３は、当該嵌合操作レバー３０を回動操作する際に把持する部分で、レバー収容空間１５から外部に延出した状態に装備されている。図１１に示した矢印Ｒ２は、嵌合操作レバー３０を回動初期位置Ｐ１から回動終了位置Ｐ２へ回動させるときの回動方向である。
【００４１】
この嵌合操作レバー３０のレバー本体３２は、図８及び図９に示すように、第２のコネクタハウジング２０の嵌合用突起２３が摺動可能なカム溝３５と、当該嵌合操作レバー３０を回動初期位置Ｐ１に仮係止させるための弾性係止片３６と、を備えている。
【００４２】
カム溝３５は、当該嵌合操作レバー３０が回動初期位置Ｐ１に位置している状態で、図１０及び図１１に示すように、第１のコネクタハウジング１０と第２のコネクタハウジング２０とを嵌合開始位置に突き合わせると、第２のコネクタハウジング２０上の嵌合用突起２３が溝の始端３５ａ（図９参照）に進入するように、形成されている。また、カム溝３５は、当該嵌合操作レバー３０を回動初期位置Ｐ１から回動終了位置Ｐ２側に回転操作すると、溝の始端３５ａに係合している嵌合用突起２３をコネクタハウジング相互の嵌合方向に引き込む。そして、本実施形態のカム溝３５は、嵌合操作レバー３０が回動終了位置Ｐ２に到達したときに、第１のコネクタハウジング１０と第２のコネクタハウジング２０とを嵌合完了状態にする。
【００４３】
弾性係止片３６は、図９に示すように、レバー本体３２の外周に沿って延設された弾性片３６ａの先端に、係合用の突起部３６ｂを備えた構造である。突起部３６ｂは、弾性片３６ａの撓み変形によって、レバー本体３２の中心側に変位可能である。この弾性係止片３６は、図３に示すように、先端の突起部３６ｂを第１のコネクタハウジング１０のレバー収容空間１５に装備されているレバー仮係止手段４０に係合させることで、嵌合操作レバー３０を回動初期位置Ｐ１に位置決めする。
【００４４】
本実施形態の嵌合操作レバー３０は、図３に示すように、当該嵌合操作レバー３０の仮係止状態が解除されたことを外観目視によって判別可能にする目印３８ａを備えている。本実施形態の場合、目印３８ａは、嵌合操作レバー３０の操作部３３の表面に形成された凹部３８の縁となる直線状の一辺である。
【００４５】
本実施形態の目印３８ａは、レバー仮係止手段４０によって仮係止状態にあるときには、図２に示すように、上部壁１３ａの一側縁（後端縁）１３ｂの内側に隠れている。また、目印３８ａは、仮係止解除手段５０によって仮係止状態が解除されたときには、図１０に示すように、仮係止状態の解除時の当該嵌合操作レバー３０の微小回動によって、上部壁１３ａの一側縁１３ｂの外側に露呈する。
【００４６】
以上に説明した一実施形態のレバー式コネクタ１では、嵌合操作レバー３０が第１のコネクタハウジング１０のレバー仮係止手段４０によって回動初期位置Ｐ１に仮係止されているときには、図２に示したように、嵌合操作レバー３０上に備えられた目印３８ａは、第１のコネクタハウジング１０の上部壁１３ａの内側に隠れていて、外部から目視することができない。しかし、第１のコネクタハウジング１０と第２のコネクタハウジング２０とを嵌合開始位置に突き合わせて、第２のコネクタハウジング２０の仮係止解除手段５０によって、嵌合操作レバー３０の仮係止状態が解除されたときには、図１０に示したように、仮係止状態の解除時の嵌合操作レバー３０の微小回動によって、嵌合操作レバー３０上の目印３８ａが、第１のコネクタハウジング１０の上部壁１３ａの一側縁１３ｂの外側に露呈する。そのため、目印３８ａが第１のコネクタハウジング１０の外部に露呈しているか否かを視認することで、嵌合操作レバー３０の仮係止状態が解除されたか否かを簡単に判別することができる。
【００４７】
従って、仮係止状態が解除されていない嵌合操作レバー３０を無理に回動させる誤操作を回避することができ、前記誤操作による嵌合操作レバー３０やレバー仮係止手段４０の破損を防止することができる。
【００４８】
また、本実施形態のレバー式コネクタ１では、嵌合操作レバー３０の目印３８ａは、嵌合操作レバー３０の表面に形成された凹部３８の縁を形成する直線状の一辺である。そのため、例えば、当該嵌合操作レバー３０を樹脂の射出成形で形成する際に、凹部３８の形成によって簡単に目印３８ａを付与することができ、目印３８ａの装備を容易にすることができる。
【００４９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５０】
例えば、仮係止状態が解除されたことを判別可能にするための目印は、凹部の縁に限るものではなく、突起や、印刷による目盛等とすることも可能である。
【００５１】
ここで、上述した本発明に係るレバー式コネクタの実施形態の特徴をそれぞれ以下［１］〜［２］に簡潔に纏めて列記する。
【００５２】
［１］  一外側壁（１３ａ）の内側にコネクタハウジング相互の嵌合方向に貫通したレバー収容空間（１５）が画成された第１のコネクタハウジング（１０）と、
前記第１のコネクタハウジング（１０）の内側に嵌合する嵌合部（２１）と、前記一外側壁（１３ａ）と対向する前記嵌合部（２１）の外側面（２１ａ）に突設された嵌合用突起（２３）と、を備えた第２のコネクタハウジング（２０）と、
回動初期位置（Ｐ１）から回動終了位置（Ｐ２）まで回動可能に前記レバー収容空間（１５）に装備される嵌合操作レバー（３０）と、
前記第１のコネクタハウジング（１０）のレバー収容空間（１５）内に装備されて前記嵌合操作レバー（３０）を前記回動初期位置（Ｐ１）に仮係止するレバー仮係止手段（４０）と、
前記第２のコネクタハウジング（２０）に装備されて前記第１のコネクタハウジング（１０）と前記第２のコネクタハウジング（２０）とを嵌合開始位置に突き合わせたときに前記レバー仮係止手段（４０）による仮係止状態を解除する仮係止解除手段（５０）と、を備え、
前記嵌合操作レバー（３０）は、前記回動初期位置（Ｐ１）に位置している状態で前記第１のコネクタハウジング（１０）と前記第２のコネクタハウジング（２０）とを嵌合開始位置に突き合わせると前記嵌合用突起（２３）が溝の始端（３５ａ）に進入し、前記回動初期位置（Ｐ１）から前記回動終了位置（Ｐ２）側に回転操作すると、前記嵌合用突起（２３）を嵌合方向に引き込んで、前記回動終了位置（Ｐ２）に到達したときに前記第１のコネクタハウジング（１０）と前記第２のコネクタハウジング（２０）とを嵌合完了状態にするカム溝（３５）を備えるレバー式コネクタ（１）であって、
前記嵌合操作レバー（３０）は、前記レバー仮係止手段（４０）によって仮係止状態にあるときには前記一外側壁（１３ａ）の一側縁（１３ｂ）の内側に隠れ、前記仮係止解除手段（５０）によって仮係止状態が解除されたときには、仮係止状態の解除時の当該嵌合操作レバー（３０）の微小回動によって前記一外側壁（１３ａ）の一側縁（１３ｂ）の外側に露呈する目印（３８ａ）を備えたことを特徴とするレバー式コネクタ（１）。
【００５３】
［２］  前記目印（３８ａ）は、前記嵌合操作レバー（３０）の表面に形成された凹部（３８）の縁を形成する直線状の一辺であることを特徴とする上記［１］に記載のレバー式コネクタ（１）。
【符号の説明】
【００５４】
１  レバー式コネクタ
１０  第１のコネクタハウジング
１３ａ  上部壁（一外側壁）
１３ｂ  一側縁
１５  レバー収容空間
２０  第２のコネクタハウジング
２１  嵌合部（フード部）
２１ａ  上壁面（外側面）
２３  嵌合用突起
３０  嵌合操作レバー
３５  カム溝
３５ａ  溝の始端
３８  凹部
３８ａ  目印
４０  レバー仮係止手段
５０  仮係止解除手段
Ｐ１  回動初期位置
Ｐ２  回動終了位置
【図１】
2015060661.tif 000003
【図２】
2015060661.tif 000004
【図３】
2015060661.tif 000005
【図４】
2015060661.tif 000006
【図５】
2015060661.tif 000007
【図６】
2015060661.tif 000008
【図７】
2015060661.tif 000009
【図８】
2015060661.tif 000010
【図９】
2015060661.tif 000011
【図１０】
2015060661.tif 000012
【図１１】
2015060661.tif 000013
【図１２】
2015060661.tif 000014
【図１３】
2015060661.tif 000015